(57)【特許請求の範囲】
【請求項１】
負荷機器に接続され携帯用エンジン発電機から該負荷機器に電力を供給する電力供給用負荷ケーブルと、
負荷機器側の負荷ケーブルに接続され少なくとも発電機の起動、停止信号を送出する高周波発振器を備えたリモートコントロールスイッチと、
発電機側に設けられ負荷ケーブルを介して入力される高周波信号を受信しその受信信号の連続時間長に対応して発電機の起動、停止を行わせる制御ユニットと、を備え、
必要に応じたリモートコントロールスイッチの操作に対応した発振器出力時にのみ発振信号を供給して発電機の起動、停止を行わせることを特徴とする携帯用発電機の遠隔起動停止装置。
【請求項２】
発振器からの発振信号の送出は、リモートコントロールスイッチの操作子を回動操作し、その回動位置の維持時間に対応した時間長により直接に発電機の起動、停止を行わせることを特徴とする請求項１記載の携帯用発電機の遠隔起動停止装置。
【請求項３】
制御ユニットが負荷ケーブルを介して入力される高周波信号を受信する受信部と、受信された高周波信号が予め設定された発電機起動または停止の時間長範囲内であるか否かを判別する判別部と、判別された結果がそれぞれの時間長範囲にあるときに発電機の起動または停止を指示する制御部と、を含む請求項１または２記載の携帯用発電機の遠隔起動停止装置。
【請求項４】
受信部は、負荷ケーブルを介して入力される高周波信号を受信する濾波部と、濾波部を通過した高周波信号を電圧レベルとして判別部に供給する電圧レベル供給回路と、を含む請求項３記載の携帯用発電機の遠隔起動停止装置。
【請求項５】
リモートコントロールスイッチは、操作子の回動操作とその復帰逆回動操作で発振器の発振回路の開閉を行なわせる請求項２ないし４のいずれかに記載の携帯用発電機の遠隔起動停止装置。
【発明の詳細な説明】
【０００１】
【発明の属する技術分野】
本発明は、小型の電気機器等への電力供給を行なう携帯用発電機の遠隔起動停止装置に関し、特に、例えばビルの屋上や地下に設置された受配電盤等の電気設備の定期試験、あるいはその竣工試験時等に供給電源を該移動式エンジン発電機に切り替えて簡易に試験運転等に用いて好適な携帯用発電機の遠隔起動停止装置に関する。
【０００２】
【従来の技術】
内燃機関によって駆動される低速度、小容量の携帯用発電機は、設備が簡単で、始動に要する準備時間が短い点から、非常用電源、離島・船舶等の電源として汎用されている。近時、このような小型の携帯用発電機はビルの屋上、地下、狭隘場所等のようにその設置位置から離隔した場所が作業現場となって種々の電気機器への電源供給を行なう場合が多く、このような場合に負荷への電源供給がない場合に内燃機関を駆動させ続けるのは燃費コスト増、騒音発生等があり、したがって、負荷の運転状態と休止状態に対応して内燃機関の駆動、停止をできる限りこまめに行なわせるのが好ましい。従来、発電機と、その設置場所から遠隔の負荷機器間を往復するのは作業現場によっては危険性を伴う点から、例えば特公平８−１９８６６号に示すようなエンジン発電機の遠隔制御装置が提案されている。
【０００３】
【発明が解決しようとする課題】
上記従来のエンジン発電機の遠隔制御装置では、エンジン発電機と負荷とを接続する出力ケーブルに高周波信号を供給させておき、出力ケーブルの負荷側に接続させたリモコンスイッチを設定回数オンさせることにより、発電機側と閉路して流れる高周波電流を検出してそのパルス数を判別し、該パルス数に応じて発電機の起動停止及び出力電圧調整を行わせるものであった。この従来の装置では、高周波信号の発振出力回路は、発電機側に設置されており、常時高周波発振出力を発電機側から出力ケーブルに対して供給し、リモコンスイッチ側の押しボタンをオンしたときに出力ケーブルを介して閉路して流れる高周波電流を変流器で検出し、ノイズ除去後増幅処理して高位または低位電圧レベルを出力してリモートコンロールユニット側に出力するようになっている。すなわち、特公平８−１９８６６号の装置は、発電機にグラインダ作業用電動工具、照明電源等の他に溶接機等の大電流機器を同時に接続させて用いるような簡易移動困難な比較的大型で据置形の大型発電機についての制御装置であり、よって、ダイナモ等の発電機本体に付属の小型発電機を搭載しない移動式のエンジン発電機では常時発振用の発振器電力消費が大きく、短時間で放電するのでスタータ起動時に十分な電力供給が不足して起動できないおそれがある。また、上記従来の装置では、リモコン側の押しボタンの起動スイッチのオン操作により出力ケーブルに流れる高周波信号を大きな負荷電流とともに変流器で電流として検出し、これを発電機側のリモートコントロールユニットに供給するようにしているので、ノイズ除去用フィルタ、第１の増幅回路並びに負荷電流検出用の高レベル電圧用アンプ及び高周波信号検出用の低レベル電圧検出用アンプ等が必要となり、受信側の回路構成が複雑でしかも変流器などを必要として装置コストが高いものとなっていた。さらに、この従来の装置では、リモコンスイッチの押しボタンを所定の押圧時間間隔で数回の押し動作によりエンジン起動、停止、電圧調整などを行なうようにしているので、操作に熟練を要し、簡易に発電機を起動、停止させること自体も困難であった。
【０００４】
本発明は上記従来の課題に鑑みてなされたものであり、その１つの目的は、簡単な装置構成で低コストであり、かつ、移動式の小型の携帯用エンジン発電機を遠隔操作により確実に起動、停止制御させるとともに、リモートコントロールスイッチの操作が極めて簡単である携帯用発電機の遠隔起動停止装置を提供することである。また、本発明の他の目的は、エンジン発電機搭載のバッテリ電力消費を抑制し、確実にエンジン発電機を起動させ得る携帯用発電機の遠隔起動停止装置を提供することである。
【０００５】
【課題を解決するための手段】
上記の目的を達成するために、本発明は、負荷機器１４に接続され携帯用エンジン発電機１８から該負荷機器に電力を供給する電力供給用負荷ケーブル１２と、負荷機器１４側の負荷ケーブルに接続され少なくとも発電機の起動、停止信号を送出する高周波発振器８０を備えたリモートコントロールスイッチ７６と、発電機１８側に設けられ負荷ケーブル１２を介して入力される高周波信号を受信しその受信信号の連続時間長に対応して発電機１８の起動、停止を行わせる制御ユニット２２と、を備え、必要に応じたリモートコントロールスイッチ７６の操作に対応した発振器出力時にのみ発振信号を供給して発電機１８の起動、停止を行わせることを特徴とする携帯用発電機の遠隔起動停止装置から構成される。
【０００６】
有利には、発振器８０からの発振信号の送出は、リモートコントロールスイッチ７６の操作子８４を回動操作し、その回動位置の維持時間に対応した時間長により直接に発電機１８の起動、停止を行わせることとするとよい。
【０００７】
その際に、制御ユニット２２が負荷ケーブル１２を介して入力される高周波信号を受信する受信部４６と、受信された高周波信号が予め設定された発電機起動または停止の時間長範囲内であるか否かを判別する判別部４８と、判別された結果がそれぞれの時間長範囲にあるときに発電機の起動または停止を指示する制御部（６４）と、を含むとよい。
【０００８】
また、受信部４６は、負荷ケーブル１２を介して入力される高周波信号を受信する濾波部と、濾波部を通過した高周波信号を電圧レベルとして判別部４８に供給する電圧レベル供給回路５６と、を含むとよい。
【０００９】
さらに、リモートコントロールスイッチ７６は、操作子８４の回動操作とその復帰逆回動操作で発振器８０の発振回路８８の開閉を行なわせるとよい。
【００１０】
【発明の実施の形態】
以下、添付図面を参照して本発明に係る携帯用発電機の遠隔起動停止装置の実施の形態を説明する。図１は、本発明の実施形態に係る携帯用発電機の遠隔起動停止装置（以下「遠隔起動停止装置」という）の概略構成図であり、図において、遠隔起動停止装置は、携帯用発電機１０に接続した負荷ケーブル１２の延長端側に負荷機器１４を接続し、例えば電気設備試験時等に非常用電源供給等を行なう発電機の遠隔起動停止装置である。図において、携帯用発電機１０は、ガソリンやディーゼル燃料等で運転されるエンジン１６に発電機１８を直結し、エンジンの出力により駆動されて所要の電力を負荷ケーブル１２を介して負荷機器１４側に供給する。携帯用発電機１０には、例えば図４に示すような制御ボックス２０に内蔵された制御ユニット２２が制御ボックス２０の上端側に取り付けられたフック２４を介して発電機１８本体等に懸架されて設置されている。制御ボックス２０の正面壁には警鳴ブザーあるいは音声発生用スピーカ５９と、後述する遠隔操作、手元操作切替キー２８が設けられている。
【００１１】
図１において、エンジン１６は例えば公知のガソリン機関であり、図示しない始動用スタータを付設している。また、エンジン１６は携帯用発電機１０に設置された例えば直流１２ボルトのバッテリ３０を供給電源として該バッテリ３０に接続された一次、二次コイルの接続を断続器のカムにより断続させて高電圧を発生させる図示しない点火コイルを有している。その高電圧をイグニションプラグに供給して所要のタイミングで火花ギャップを発生させ、機関内燃料に点火させる。この点火コイルには一次、二次コイルの短絡、開放接点が設けられてあり、エンジンの起動時に制御ユニット２２からの信号指示を受けて一次側コイルの短絡を開放させる。さらに、エンジン１６には、遠隔、手元切替キー２８により遠隔制御に設定された際に制御ユニット２２からの信号を受けてエンジン１６に対してエンジン停止、スタータ起動、エンジンチョーク開閉などの信号を供給させるスタータスイッチ３２が接続されている。スタータスイッチ３２にはバッテリ３０から直流電源が供給されている。
【００１２】
制御ユニット２２は図４に示すプラグコネクタ３６を発電機側のメタルコネクタ３８に差し込んで該制御ユニット２２からのそれぞれのエンジン起動、停止、スタータスイッチ起動等の信号をスタータスイッチに対して供給する。発電機本体１８と負荷ケーブル１２との接続基端側の負荷ケーブル１２には検出用ケーブル４０が接続されて制御ユニット２２に高周波信号及び発電機出力が供給される。この検出用ケーブル４０は、制御ユニット２２のコンセントプラグ４２を発電機に設置したコンセント４４に差し込み接続される。
【００１３】
一方、制御ユニット２２は、発電機１０側に設けられて負荷ケーブル１２を介して入力される高周波信号を受信しその受信信号の連続受信時間長に対応して発電機１８の起動、停止を行なわせる制御回路ユニットであり、図４に示す制御ボックス２０内に回路部分が収納されて上述したコネクタにより簡単に発電機側に接続される。この制御ユニット２２は、負荷ケーブル１２を介して入力される高周波信号を受信する受信部４６と、受信された高周波信号が予め設定された発電機起動または停止の時間長範囲内であるか否かを判別する判別部４８と、判別された結果がそれぞれの時間長範囲にあるときに発電機の起動または停止を指示する制御部（６４）と、を含む。
【００１４】
図２において、受信部４６は、検出用ケーブル４０から分岐して負荷ケーブル１２を介して入力される高周波信号成分のみを通過させる濾波部５２と、濾波部を通過した高周波信号による共振電圧を変圧して降圧後電圧レベルとして判別部４８に供給する電圧レベル供給回路５６と、を備えている。実施形態において、濾波部５２はコイル−コンデンサからなる高域フィルタであり、設定された遮断周波数以上の高周波信号のみを通過させる。後述のリモートコントロールスイッチ側に設置された高周波発振器からの発振周波数以上の高周波成分はこの濾波部５２により濾波されて通過する。この濾波部５２にはそのコイルにトランス結合された中継コイルが含まれており、高周波の電圧を降圧させる。さらに、電圧レベル供給回路５６は、濾波部５２からの高周波交流電圧を直流に変換し増幅して高周波信号受信時のＨレベル電圧をコントローラ５８に供給する。コントローラ５８は、たとえばＣＰＵを含むマイクロコンピュータからなり、判別部４８、制御回路６４等を含む。コントローラ５８にはバッテリ３０から直流電源が供給されている。
【００１５】
図５において、判別部４８は、タイマ回路６０及び判別回路６２からなり、高周波信号受信時のＨレベル電圧受信時からそのＨレベル電圧が持続する連続受信時間長を検出し、その検出時間が、予め設定された複数種類の時間長の範囲内であるかどうかを判別してそれらの範囲内の際に制御部に信号を供給する。タイマ回路６０は、受信部４６の電圧レベル供給回路５６からＨレベル電圧が供給された際にその電圧信号を受けてからその持続時間を計時し検出して、その持続時間データを判別回路６２に供給する。判別回路６２は、タイマ回路からのＨレベル持続時間データと、予め設定された複数種類の時間長データとを比較し、その結果を制御回路６４に供給する。制御回路６４は、高周波信号受信時にタイマ回路にその受信時間長検出を指示し、判別回路６２に所定時間長範囲かどうかを判別させてそのデータに基づいてエンジン本体１８側に対応する信号を出力制御する制御手段であり、判別回路６２からのデータを受けてエンジン起動、あるいはエンジン停止信号生成回路６８、６６にそれぞれ起動指示あるいは停止指示信号を出力する。さらに、エンジン起動時には、エンジンチョーク開閉信号生成回路７０にその開信号を出力する。エンジン起動、エンジン停止信号生成回路６８、６６並びにエンジンチョーク開閉信号生成回路７０は、制御回路６４からそれぞれの起動、停止生成指示信号を受けてエンジン起動、エンジン停止、エンジンチョーク開閉信号をそれぞれ生成し、スタータスイッチ３２にそれらの信号を出力して、発電機側に所定の動作を行なわせる。実施形態において、判別部４８及び制御回路６４はＣＰＵからなり、高周波信号を受信してその連続持続時間に対応してエンジンの起動、停止制御を司る。なお、エンジンチョーク開閉信号生成回路７０は、必要に応じて設ければ良く、必ずしも設けずとも良い。
【００１６】
実施形態において、負荷機器側に接続させたリモートコンロールスイッチの１回の発振起動操作に対応して受信部４６が受信する高周波信号のＨレベル電圧の連続持続時間が１〜２秒の場合には、エンジン停止を行なわせるとともに、３秒〜６秒の時間長範囲であれば、エンジン起動を行なわせるように設定されている。この時間長範囲はそれぞれ任意の時間長で設定してもよい。このように高周波信号の受信時間長に対応して発電機の起動、停止を行なわせるようにすることにより、リモートコンロールスイッチ側の操作についてそれほどの注意をせずにラフな操作で簡単に発電機の起動、停止を行なえるとともに、たとえばダイアル式に回して所定の発振状態を持続させ、所定時間後に逆回動を行なわせるような操作による発電機の起動、停止操作が可能となり、たとえば押しボタンの上に重量物が落下して押し下げて発電機が誤作動するような不具合を回避し得る。
【００１７】
さらに、図１において発電機の基部側に接続された検出用ケーブル４０には受信部４６と並列に発電機出力検出部７２が接続されており、この発電機出力検出部７２は制御整流素子等を備えて発電機出力の有無をコントローラ５８に供給する。
【００１８】
一方、一端を発電機側に接続して延長された負荷ケーブル１２の他端側には例えば電気設備点検や試験用の負荷機器１４が接続され、常時接続の供給電源に代わって必要に応じて実施形態の発電機１８からの供給電源に切り替えられる。負荷ケーブル１２は図２に示すように電源ドラム７４に巻かれて該電源ドラムに設けたコンセントにプラグを差し込んで接続される。さらに、この負荷機器１４の接続側の負荷ケーブル１２にリモートコントロールスイッチ７６が接続されている。
【００１９】
リモートコントロールスイッチ７６は、電源ドラム７４のコンセントにプラグ接続され、作業者が作業を行なう地点としての発電機から離隔した場所から移動式エジン発電機１０の起動、停止制御を行なう遠隔制御スイッチであり、例えば作業者が手で把持し得る程度の大きさの操作ボックス７８内に内蔵した高周波発振器８０と、高周波発振器に電源を供給するバッテリ８２と、高周波発振器８０の発振回路の開閉を行なわせる操作子８４と、を含む。
【００２０】
詳細には、リモートコントロールスイッチ７６は、水晶振動子８６を用いたＬＣ高周波発振回路８８を有する高周波発振器８０と、高周波発振回路の出力コイルにトランス結合されたＬＣ共振回路９０と、を有し、高周波発振器８０は、バッテリ８２のから例えば９Ｖ程度の直流電源を供給されて所定の周波数および電力条件で発振し、共振回路９０のコイルが発振周波数に誘起されて４００Ｋｈｚ程度の高周波交流信号を負荷ケーブル１２に送出する。バッテリ８２からの電源回路には並列に発振確認用パイロットランプ９２が設けられている。また、リモートコントロールスイッチ７６の負荷ケーブルとの接続線には発電状態の有無を表すパイロットランプ９４が接続されており、図３に示すように、各パイロットランプ９２、９４の点灯、あるいは消灯で動作状態が外部から確認できる。また、９６は高周波発振器８０の電源回路並びに高周波信号出力用の開閉スイッチであり、操作子８４の高周波発振操作に対応して同時にそれらのスイッチを閉路して所定の高周波信号を出力させる。また、操作子８４を復帰操作させて元の中立位置に戻せばスイッチ９６は開いて高周波発振回路への電源供給を停止し、発振出力を停止させる。
【００２１】
実施形態において、操作子８４は図３に示すように、回動操作とその復帰逆回動操作で高周波発振器の発振回路のオンとオフを行なわせる回動摘みからなり、これを例えば中立状態からいずれかの方向に回してその状態を１〜２秒保持し、その後中立に復帰させたときには、負荷ケーブルを介して高周波信号のＨレベル電圧をエンジン発電機側の制御ユニット２２に対応する連続持続時間供給し、エンジンを停止させて発電を停止させる。また、回動摘みを回して３秒〜６秒維持した後、中立に復帰させるとエンジンを起動させて発電機の発電を実行させる。
【００２２】
次に、図６及び図７を参照して実施形態の遠隔起動停止装置の作用について説明する。作業に際しては、制御ボックス２０の側面に設置した遠隔／手元切替キー２８を遠隔操作側に回動してセットしておく。発電機側から離れた例えば地下の受配電設備への電源供給を本携帯用発電機１０に切り替えて負荷ケーブル１２に負荷機器１４を接続させる。
【００２３】
リモートコントロールスイッチ７６の発電及び発振確認用パイロットランプ９４、９２が消灯した状態で、作業現場である負荷機器の設置側に接続したリモートコントロールスイッチ７６の操作子８４を中立状態から回動させて所要時間、例えば５秒間その回動位置で停止保持させ、５秒後に中立状態に戻す。すると、操作子８４の回動から中立復帰までの発振操作時間長の間だけ、高周波発振回路８８及び共振回路９０を介して高周波信号が負荷ケーブル１２に供給される。
【００２４】
高周波信号がリモートコントロールスイッチ７６側から所定時間長で送出されると、受信部４６の濾波部５２がリモートコントロールスイッチ側からの高周波信号を通過させ、電圧レベル供給回路５６を介して高周波信号が受信される。図６において、制御ユニット２２のコントローラ５８では制御回路６４が、ステップＳ１でリモートコントロールスイッチ７６からの高周波信号を受信するとステップＳ２で受信部４６に接続されたスピーカ５９から例えば「発電機が動きます、離れて下さい」と音声を発生させて、制御ボックス周辺に注意を促す。電圧レベル供給回路５６からの信号を受けて判別部のタイマ回路６０では高周波信号受信に対応する電圧を受けたときからその電圧Ｈレベルの持続時間長、すなわち、この実施形態では、５秒を計測し、その結果を判別回路６２に出力する。判別回路６２ではあらかじめ設定されているエンジン起動、停止操作に対応する３秒〜６秒の時間長範囲、１秒〜２秒の時間長範囲、あるいはそれら以外かどうかを比較していずれかの操作が行なわれたかを判別する（ステップＳ３）。実施形態では、５秒間の持続時間に対応して負荷側でエンジン起動指示があったと判断する。次に、発電機出力検出部７２において、発電機出力電圧の有無を確認しエンジン起動中かを判断し（ステップＳ４）、起動中でなければイグニションコイルの一次側コイルの短絡を開放して燃料点火待ち受け状態とし、エンジン停止信号をＯＦＦとする（ステップＳ５）。ステップＳ６でコントローラの制御回路６４がエンジン起動信号としてのスタータ起動信号をスタータスイッチ３２に出力すると、ステップＳ７でチョーク開信号を出力し、次に、発電機出力検出部７２で発電機出力有無を確認してエンジンが起動したかどうかを判断し（ステップＳ８）、起動済みのときにステップＳ９でチョーク閉信号を出力し、さらにスタータ起動信号出力を停止させ、エンジン起動を完了させる（ステップＳ１０）。ステップＳ８で、発電機出力がない場合にはスタータ起動信号出力が６秒以上かを判断し（Ｓ１１）、６秒以上の場合にはチョーク閉信号を出力し（ステップＳ１２）、操作子８４の起動の持続時間操作が誤っているか、あるいは他の不慮の事故等としてスタータ起動信号出力をＯＦＦとし（Ｓ１３）、続いてエンジン停止信号をＯＮして（Ｓ１４）エンジンを停止させる。ステップ１１でスタータ起動信号出力が６秒以上ではない場合には、ステップＳ６に戻り、再度スタータ起動信号をＯＮさせて、前記したと同様の処理を行なう。
【００２５】
一方、発電機出力を得て負荷機器についての作業後、電源供給を停止、あるいは一次停止させたい場合には、作業者がリモートコントロールスイッチ７６の操作子８４を回動させて発振器の起動操作側に移動させ、例えば２秒保持した後に同操作子８４を復帰回動させると、図７に示すように、制御ユニット２２は、その高周波発振信号を受信したかどうかを判断し（Ｓ２０）、受信した場合にスピーカ５９より例えば「停止します」等の音声を発生させ（Ｓ２１）、電圧レベル供給回路５６からの信号を受けて判別部のタイマ回路６０で電圧を受けたときからその電圧Ｈレベルの持続時間長を計測し、２秒の持続時間長を判別回路６２に出力する。判別回路で設定時間範囲と比較してエンジン起動信号と判定し（Ｓ２２）、次に、発電機出力電圧を発電機出力検出部７２を介して検出してエンジン起動中かどうかを判断し（Ｓ２３）、起動中でない場合にはそのままエンジン停止を維持させる。また、起動中の場合にはエンジン停止信号をＯＮさせ（Ｓ２４）、エンジンを停止させて発電機出力を停止させる。ステップＳ２２で高周波信号が１秒〜２秒の持続時間長範囲外のときにはＳ２０に戻って高周波信号受信待ち受け状態に戻る。
【００２６】
以上、説明したように、この携帯用発電機の遠隔起動停止装置では、負荷ケーブルを介して負荷機器を接続させた移動式エンジン発電機において、発電機側に設けられ負荷ケーブルを介して入力される高周波信号を受信しその受信信号の連続受信時間長に対応して発電機の起動、停止を行わせる制御ユニットと、負荷機器側の負荷ケーブルに接続され負荷ケーブルを介して制御ユニットに高周波信号を送出する高周波発振器を備えたリモートコントロールスイッチと、を含むので、負荷機器側で作業中の作業者が必要となったときにのみ高周波発振器を発振駆動させて高周波信号を発電機側の制御ユニット側に送出するのでエンジン発電機側のスタート用セルモータ等にも用いられるバッテリの電力消費量を大幅に抑制し、エンジン起動等を確実に行なわせる。また、高周波信号の有無は共振電圧を得て電圧Ｈレベルの持続時間長で判断するのでリモートコントロールスイッチ側の操作が簡単で、かつ、誤操作や誤動作を防止できる。
【００２７】
本発明の携帯用発電機の遠隔起動停止装置は、上記した実施の形態に限定されることなく、特許請求の範囲に記載した発明の本質を逸脱しない範囲において任意の改変を行なってもよい。例えば、操作子は実施形態ではダイアル式に回動させて起動位置で設定時間だけ保持し、その後復帰させる構成としているが、これを通常の押しボタン式で起動させる構成としても良い。また、エンジンチョークの開閉操作は必要に応じて省略してもよい。さらに、実施形態ではエンジン起動、停止の場合に対応したリモートコントロールスイッチ側の操作構成としているが、複数種類の時間長範囲を設定し、それらに対応してエンジン起動、停止以外の操作を含めるようにしてもよい。さらに、発電機の起動、停止時の音声はブザー警鳴あるいは、ブザーと音声を連続して発生させるようにしてもよく、要は、発電機の動きに対応した警報装置を設けるようにしてもよい。
【００２８】
【発明の効果】
以上説明したように本発明の携帯用発電機の遠隔起動停止装置によれば、負荷ケーブルを介して負荷機器を接続させた移動式エンジン発電機において、発電機側に設けられ負荷ケーブルを介して入力される高周波信号を受信しその受信信号の連続受信時間長に対応して発電機の起動、停止を行わせる制御ユニットと、負荷機器側の負荷ケーブルに接続され負荷ケーブルを介して制御ユニットに高周波信号を送出する高周波発振器を備えたリモートコントロールスイッチと、を含む構成であるから、負荷機器側で作業中の作業者が必要となったときにのみ高周波発振器を発振駆動させて高周波信号を発電機側の制御ユニット側に送出するのでエンジン発電機側のバッテリの電力消費量を大幅に低減させ、確実にエンジン起動、停止を行なわせる。また、高周波信号の有無は例えば高周波信号から電圧Ｈレベルの持続時間長で判断するのでリモートコントロールスイッチ側の操作が簡単で、かつ、誤操作や誤動作を有効に防止できる。また、高周波信号受信のための構成が簡単で素子数も少なくてよく、コストを低廉に維持し得る。
【００２９】
また、制御ユニットが負荷ケーブルを介して入力される高周波信号を受信する受信部と、受信された高周波信号が予め設定された発電機起動または停止の時間長範囲内であるか否かを判別する判別部と、判別された結果がそれぞれの時間長範囲にあるときに発電機の起動または停止を指示する制御部と、を含む構成であるから、リモートコントロールスイッチ側からの高周波信号を例えば、電圧Ｈレベルの持続時間長で判断でき、リモートコントロールスイッチ側の操作が簡単で、かつ、誤操作や誤動作を有効に防止できる。
【００３０】
また、受信部は、負荷ケーブルを介して入力される高周波信号の周波数を受信する濾波部と、濾波部を通過した高周波信号を電圧レベルとして判別部に供給する電圧レベル供給回路と、を含む構成であるから、受信部の構成が極めて簡単でまた負荷ケーブルからの高周波信号を電圧変化として取り込め、製作コストを低廉に保持し得る。
【００３１】
また、制御部は、判別された結果の信号に基づいて発電機の起動を行わせるのに先立ってエンジンチョークの開閉を行なわせる構成とすることにより、エンジン起動の際に確実にその動作を行なわせ得る。
【００３２】
また、リモートコントロールスイッチは、回動操作とその復帰逆回動操作で高周波発振器の発振回路の開閉を行なわせる操作子を有する構成であるから、リモートコントロールスイッチの具体的な摘み等の操作が大まかな起動、停止時間の保持のみでよく、操作に熟練を要することなく簡単であるとともに、物体がリモートコントロースルイッチの上等に落下してエンジンが誤起動するような事態を回避し得る。
【図面の簡単な説明】
【図１】本発明の実施形態に係る携帯用発電機の遠隔起動停止装置の概略ブロック構成図である。
【図２】図１の要部の説明図である。
【図３】（イ）、（ロ）は、リモートコントロールスイッチの正面図、及び同側面図である。
【図４】（イ）、（ロ）は、制御ボックスの正面図並びに同側面図である。
【図５】制御ユニットのコントローラのブロック構成を示すブロック構成説明図である。
【図６】エンジン起動時の処理を示すフローチャート図である。
【図７】エンジン停止時の処理を示すフローチャート図である。
【符号の説明】
１０ 携帯用発電機
１２ 負荷ケーブル
１４ 負荷機器
１６ エンジン本体
１８ 発電機
２２ 制御ユニット
３０  バッテリ
４６ 受信部
４８  判別部
５２  濾波部
５６ 電圧レベル供給回路
５８  コントローラ
６２ 判別回路
６４  制御回路
７６  リモートコントロールスイッチ
８０  高周波発振器
８４  操作子
【図１】
0003584375.tif 000002
【図２】
0003584375.tif 000003
【図３】
0003584375.tif 000004
【図４】
0003584375.tif 000005
【図５】
0003584375.tif 000006
【図６】
0003584375.tif 000007
【図７】
0003584375.tif 000008